【手続補正書】
【提出日】平成25年7月23日(2013.7.23)
【手続補正１】
【補正対象書類名】明細書
【補正対象項目名】発明の名称
【補正方法】変更
【補正の内容】
【発明の名称】検出器及び赤外線検出装置
【手続補正２】
【補正対象書類名】明細書
【補正対象項目名】０００１
【補正方法】変更
【補正の内容】
【０００１】
本発明は、検出器及び赤外線検出装置に関する。
【手続補正３】
【補正対象書類名】明細書
【補正対象項目名】００１９
【補正方法】変更
【補正の内容】
【００１９】
特許文献２に開示された遠赤外線検出装置はレンズ一体型であり、シリンドリカルレンズを用いて、複数の画素で高度な検知と認識処理を同時に実現している。しかしながら、複数の画素をライン状に配置した遠赤外線センサであって、画素が配置されている方向と垂直方向の変化をも検知することは実現されていない。
【手続補正４】
【補正対象書類名】明細書
【補正対象項目名】００２０
【補正方法】変更
【補正の内容】
【００２０】
そこで本発明は、上記従来技術の問題点に鑑みてなされたものであって、集光効率を保ちながら小型の赤外線検出装置を提供すること、及び複数の画素をライン状に配置した赤外線受光素子であって、画素が配置されている方向と垂直方向の変化をも検出可能とする検出器を提供することを目的とする。
【手続補正５】
【補正対象書類名】明細書
【補正対象項目名】００２１
【補正方法】変更
【補正の内容】
【００２１】
上記課題を解決するため、請求項１に記載の本発明における検出器は、第１の方向と、前記第１の方向と直交する第２の方向とによって形成される座標軸の領域面に対して入射する赤外線を検出する検出器であって、前記領域面において前記第１の方向に並列配置される複数の赤外線受光素子と、前記複数の赤外線受光素子を保持する赤外線受光素子基板と、前記複数の赤外線受光素子と前記赤外線受光素子基板とを接続する架橋部と、を備え、前記架橋部は、前記領域面において前記複数の赤外線受光素子の前記第２の方向の末端部に設けられていることを特徴とする。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】変更
【補正の内容】
【００２３】
本発明によれば、集光効率を向上させると同時に、小型の赤外線検出装置を提供することができる。また、本発明によれば、画素が配置されている方向と垂直方向の変化をも検出可能な複数の画素をライン状に配置した検出器を提供することができる。
【手続補正８】
【補正対象書類名】明細書
【補正対象項目名】００２７
【補正方法】変更
【補正の内容】
【００２７】
また、本発明は、遠赤外線を集光するレンズ基板と、一方向に複数の遠赤外線センサ画素が配置されたセンサ基板とが一体となった一体型遠赤外線検出装置に際して、以下の特徴を有する。すなわち、一定方向の曲率を有するシリンドリカルレンズと、その方向とは垂直方向に複数の凸レンズ群とを設けた複合レンズと、センサ画素の幅を変化させた遠赤外線センサ素子（画素）とを密着させることにより、２次元の動き検知が可能となることが特徴になっている。
【手続補正９】
【補正対象書類名】明細書
【補正対象項目名】００７９
【補正方法】変更
【補正の内容】
【００７９】
図８（ａ）には遠赤外線検出装置（遠赤外線センサ）５０１と熱源（生体）５０２との位置関係が示されている。熱源としては人間等を想定しており、遠赤外線検出装置（遠赤外線センサ）５０１のサイズは上述のように数ｍｍ角であるため、熱源５０２から放射される遠赤外線は略平行に入射されると考えられる。ここでは、θ＝０°で垂直入射となるように、角度θを図８（ａ）のように設定する。
【手続補正１０】
【補正対象書類名】明細書
【補正対象項目名】０１０７
【補正方法】変更
【補正の内容】
【０１０７】
これにより、複数の遠赤外線センサ素子（画素）をライン状に配置した遠赤外線検出装置（遠赤外線センサ）であって、遠赤外線センサ素子（画素）が配置されている方向と垂直な方向の熱源（生体）の変化をも検出することができる遠赤外線検出装置（遠赤外線センサ）を提供することができる。
【手続補正１１】
【補正対象書類名】特許請求の範囲
【補正対象項目名】全文
【補正方法】変更
【補正の内容】
【特許請求の範囲】
【請求項１】
第１の方向と、前記第１の方向と直交する第２の方向とによって形成される座標軸の領域面に対して入射する赤外線を検出する検出器であって、
前記領域面において前記第１の方向に並列配置される複数の赤外線受光素子と、
前記複数の赤外線受光素子を保持する赤外線受光素子基板と、
前記複数の赤外線受光素子と前記赤外線受光素子基板とを接続する架橋部と、を備え、
前記架橋部は、前記領域面において前記複数の赤外線受光素子の前記第２の方向の末端部に設けられていることを特徴とする検出器。
【請求項２】
前記複数の赤外線受光素子は、前記第１の方向に相互に離間して並列配置されることを特徴とする請求項１記載の検出器。
【請求項３】
前記赤外線の入射により前記複数の赤外線受光素子から発せられる熱を遮断する空洞部をさらに含み、前記空洞部は、前記赤外線の出射方向であって前記領域面に対して垂直となる方向に設けられることを特徴とする請求項１又は２記載の検出器。
【請求項４】
前記架橋部は、前記赤外線受光素子と前記赤外線受光素子基板とを接続するための折り返し部を含むことを特徴とする請求項１から３の何れか１項記載の検出器。
【請求項５】
前記赤外線受光素子は前記領域面において略長方形を有しており、長手方向と前記第２の方向とは同一方向であることを特徴とする請求項１から４の何れか１項記載の検出器。
【請求項６】
請求項１から５の何れか１項記載の検出器を含み、赤外線を集光して検出する赤外線検出装置であって、
前記赤外線を集光する集光手段と、
前記集光手段における前記赤外線の入射面側に設けられた曲面と、
前記集光手段における前記赤外線の出射面側に設けられた全反射防止面と、
を含むことを特徴とする赤外線検出装置。
【請求項７】
前記全反射防止面は、前記集光手段の縦断面視において、前記出射面側から前記入射面側に向かって凹面構造を有することを特徴とする請求項６記載の赤外線検出装置。
【請求項８】
前記全反射防止面は、前記集光手段の縦断面視において、前記赤外線の入射方向と直交する面を一辺とする略三角形状の斜面構造を有することを特徴とする請求項６記載の赤外線検出装置。
【請求項９】
前記全反射防止面は、前記赤外線の入射方向に対して尖頭形状を有する微細突起構造を有することを特徴とする請求項６記載の赤外線検出装置。
【請求項１０】
請求項１から５の何れか１項記載の検出器と、赤外線を集光する集光手段と、前記集光された赤外線を検出する検出手段と、を含む赤外線検出装置であって、
前記集光手段は、
前記赤外線が入射する方向と直交する第１の方向に曲率を有し、前記入射する赤外線を屈折させ、前記入射する方向と直交する第２の方向から入射する赤外線を屈折させないシリンドリカルレンズと、
前記第２の方向に曲率を有し、前記入射する方向に凸部を有する凸レンズが前記第２の方向に複数設けられた凸レンズ群と、から成る複合レンズを含み、
前記検出手段は、
前記シリンドリカルレンズにより集光される赤外線と、前記凸レンズ群により集光される赤外線とを検出する複数の赤外線受光素子と、
を含むことを特徴とする赤外線検出装置。
【請求項１１】
前記赤外線受光素子は、前記赤外線が集光されることにより生成されるエネルギーが密状態の領域と、前記エネルギーが疎状態の領域とを有することを特徴とする請求項１０記載の赤外線検出装置。
【請求項１２】
前記赤外線受光素子は、前記密状態の領域に対してより大なる体積で形成され、前記疎状態の領域に対してより小なる体積で形成されることを特徴とする請求項１１記載の赤外線検出装置。
【請求項１３】
前記凸レンズの数量と前記赤外線受光素子の体積とは反比例関係にあることを特徴とする請求項１２記載の赤外線検出装置。
【請求項１４】
前記凸レンズ群が設けられている面は、前記第２の方向に曲率を有する曲面であることを特徴とする請求項１０記載の赤外線検出装置。